(57)【要約】【課題】下面側に溶接跡を生じさせないトラス付きデッキプレートを構成する。【解決手段】上部鉄筋１と下部鉄筋３、３とを二等辺三角形状に配置し、波状補強鉄筋６、６をハ字状に夫々配置して、トラス１０とする（ａ）。上ベースプレート１２の溝部１８に連結棒材３４を収容し、凸条１７にトラス１０の脚部９を載置し（ａ）、連結棒材３４の両端を、上ベースプレートの縁１４、１４から所定長さＬだけ突出させる。上ベースプレート１２を挟んで、上下電極４２、４３を配置し、通電して、連結棒材３４、上ベースプレート１２、トラス１０の脚部９を一体に溶接固着する（ｂ）。上ベースプレート１２の下面１６に、下ベースプレート２３を重ね、両ベースプレート１２、２３の両下向き係止縁２０、２９、上向き係止縁１９、２８を夫々嵌合して、トラス付きデッキプレート４０を構成する（ｃ）。【選択図】図１
2005194725.tif 000002
【特許請求の範囲】
【請求項１】
ベースプレート上に、長さ方向に、トラスを配置して固定してなるトラス付きのデッキプレートにおいて、以下の構成としたことを特徴とするトラス付きデッキプレート。
(1) ベースプレートを、上プレートと下プレートとから形成する。
(2) 上プレートに、前記ベースプレートの長さ方向の連結棒材を配置し、該連結棒材、前記上プレート及びトラスを一体に溶接固定する。前記連結棒材は少なくとも、前記ベースプレートの長さ方向の両端部に配置する。
(3) 上プレートの下面に、下プレートを重ねて一体のベースプレートとする。
(4) 前記連結棒材の両端縁をデッキプレートの両端縁よりも、外方へ夫々突出させた。
【請求項２】
上ベースプレートの端縁で、連結棒材の端部が配置される端縁とは直交する側の一端縁に上向き係止縁を、他端縁に下向き係止縁を、夫々形成し、
下ベースプレートの端縁で、連結棒材の端部が配置される端縁とは直交する側の一端縁に上向き係止縁を、他端縁に下向き係止縁を、夫々形成し、
前記両上向き係止縁同士、下向き係止縁同士を互いに嵌合係止可能とし、
両ベースプレートに互いに連通する止め孔を穿設したことを特徴とする請求項１に記載のトラス付きベースプレート。
【請求項３】
以下の工程で、製造することを特徴とするトラス付きデッキプレートの製造方法。
(1) 上プレートのトラス溶接位置に沿って、連結棒材を配置し、該連結棒材の端縁を前記上プレートの端縁より外方に突出する。前記連結棒材の位置に合わせて、トラスの脚部を配置する。
(2) 前記上プレートの下面側に下電極を配置し、前記トラスの脚部の上方に上電極を配置して、前記上プレート、連結棒材及びトラスの脚部を一体に溶接固着する。
(3) 前記上プレートの下面に、下プレートを被せ、上プレートの下面を覆って一体のベースプレートを形成する。
【請求項４】
以下の工程で、製造することを特徴とする請求項３記載のトラス付きデッキプレートの製造方法。
(1) 上プレートのトラス溶接位置に沿って、予め屈曲して、上面側に凸条、下面側に溝部を形成し、
(2) 前記溝部に連結棒材を収容し、
(3) 前記連結棒材、上プレート及びトラスの脚部の順に重ね、上下電極で挟んで溶接固着する。
【発明の詳細な説明】
【技術分野】
【０００１】
この発明は、コンクリート構造物で、床スラブ用の型枠として使用されるトラス付きデッキプレートに関する。
【背景技術】
【０００２】
各種の立体トラスや平面トラスをベースプレート（デッキプレート）上に溶接固着して、コンクリート構造物の床用型枠と床用鉄筋の配筋補助具の役割を持った「トラス付きのデッキプレート」があった。この場合、トラスとデッキプレートは一体に固定し、かつ自動生産をする必要から溶接により固定されていた。従って、ベースプレートの下面には溶接跡（溶接縞）が残っていた。
【０００３】
デッキプレートはコンクリート打設後も残置されるので、ベースプレートの下面がそのまま床スラブの下面を構成していた。従って、通常は、スラブの下面は、天井を各種ボード類や吊り天井で、天井を仕上げる場合には、床スラブの下面（ベースプレートの下面）は仕上げ面に表れることはなかった。
【０００４】
しかし、天井を張らない建造物は、床スラブの下面（ベースプレートの下面）がそのまま露出することになり、この場合、溶接跡が表れていた。従って、溶接後を消すために、予め、完成されたトラス付きデッキプレートの状態で、ベースプレートの下面を磨き、あるいは塗装し、あるいは各種シートやボードを貼る等の後処理が必要であった。
【０００５】
また、出願人は、上記問題を解決するために、既にベースプレートの上面側で、かつその上面から離れた位置でトラスの脚部とベースプレートを溶接して、ベースプレートの下面側に溶接跡を残さないデッキプレートの製造方法を提案している（特許文献１）。
【特許文献１】特開平８−１５１７１８号公報
【発明の開示】
【発明が解決しようとする課題】
【０００６】
ベースプレートを挟んで、上下に電極を配置する製造ラインにおいて、溶接跡を残さないように形成することを目的とした工夫が本発明である。ベースプレートを上下に分割し、上ベースプレートとのみトラスを溶接して、上下ベースプレートを互いに溶接によらずに一体に連結できるように形成することを目的としている。
【課題を解決するための手段】
【０００７】
然るに、この発明は、ベースプレートを上下に分割して、互いに係止してベースプレートを構成したので、前記問題点を解決した。
【０００８】
即ちこの発明は、ベースプレート上に、長さ方向に、トラスを配置して固定してなるトラス付きのデッキプレートにおいて、以下の構成としたことを特徴とするトラス付きデッキプレートである。  
(1) ベースプレートを、上プレートと下プレートとから形成する。  
(2) 上プレートに、前記ベースプレートの長さ方向の連結棒材を配置し、該連結棒材、前記上プレート及びトラスを一体に溶接固定する。前記連結棒材は少なくとも、前記ベースプレートの長さ方向の両端部に配置する。  
(3) 上プレートの下面に、下プレートを重ねて一体のベースプレートとする。  
(4) 前記連結棒材の両端縁をデッキプレートの両端縁よりも、外方へ夫々突出させた。
【０００９】
また、前記発明において、上ベースプレートの端縁で、連結棒材の端部が配置される端縁とは直交する側の一端縁に上向き係止縁を、他端縁に下向き係止縁を、夫々形成し、下ベースプレートの端縁で、連結棒材の端部が配置される端縁とは直交する側の一端縁に上向き係止縁を、他端縁に下向き係止縁を、夫々形成し、前記両上向き係止縁同士、下向き係止縁同士を互いに嵌合係止可能とし、両ベースプレートに互いに連通する止め孔を穿設したことを特徴とするトラス付きベースプレートである。
【００１０】
また、方法の発明は、以下の工程で、製造することを特徴とするトラス付きデッキプレートの製造方法である。  
(1) 上プレートのトラス溶接位置に沿って、連結棒材を配置し、該連結棒材の端縁を前記上プレートの端縁より外方に突出する。前記連結棒材の位置に合わせて、トラスの脚部を配置する。  
(2) 前記上プレートの下面側に下電極を配置し、前記トラスの脚部の上方に上電極を配置して、前記上プレート、連結棒材及びトラスの脚部を一体に溶接固着する。  
(3) 前記上プレートの下面に、下プレートを被せ、上プレートの下面を覆って一体のベースプレートを形成する。
【００１１】
また、前記方法の発明において、以下の工程で、製造することを特徴とするトラス付きデッキプレートの製造方法である。  
(1) 上プレートのトラス溶接位置に沿って、予め屈曲して、上面側に凸条、下面側に溝部を形成し、
(2) 前記溝部に連結棒材を収容し、
(3) 前記連結棒材、上プレート及びトラスの脚部の順に重ね、上下電極で挟んで溶接固着する。
【発明の効果】
【００１２】
この発明は、ベースプレートを上下に分割し、上ベースプレートとトラスとを溶接するので、上ベースプレートの下面の溶接跡は、下ベースプレートにより隠され、溶接跡が生じないトラス付きデッキプレートを構成できる効果がある。従って、トラス付きデッキプレートの下面（下ベースプレートの下面）に取付ける素材により、種々の構造物の種々の環境、仕上げに応じて、コンクリートの型枠及び保護板として使用でき、それに応じた天井に仕上げることができる。また、トラス付きデッキプレートの下面（下ベースプレートの下面）をそのまま天井に利用できる効果がある。
【００１３】
また、ベースプレートから突出する連結棒材を上ベースプレート及びトラスと一体に溶接固着するので、連結棒材をトラス付きデッキプレートを鉄骨梁や型枠と係止する為の治具として利用できるので、他の治具を不要とし、更に、連結棒材はトラス付きデッキプレートと一体に溶接されているので、トラス付きデッキプレートを確実に設置できる効果がある。
【００１４】
また、上ベースプレートに溝部を形成して、連結棒材を収容した場合には、上ベースプレートを補強でき、薄い材厚の材料から上ベースプレートを構成することもできる効果がある。
【発明を実施するための最良の形態】
【００１５】
(1) １本の上部鉄筋１と２本の下部鉄筋３、３とを並列して、二等辺三角形状に配置して、上部鉄筋１と両下部鉄筋３、３とに、波状補強鉄筋６、６を「略ハ字状」に夫々配置して、各鉄筋の当接点で溶接固着して、トラス１０を構成する（図１（ａ）、図３）。
【００１６】
(2) 上ベースプレート１２の下面１６側の溝部１８に連結棒材３４を収容すると共に、上面１５側の凸条１７に、トラス１０の脚部９、９を配置する（図１（ａ））。連結棒材３４の両端は、上ベースプレートの縁１４、１４から長さＬ（１０ｍｍ程度）だけ突出している（図２）。
【００１７】
(3) 上ベースプレート１２の上面側で、連結棒材３４の位置（脚部９の位置）に上電極４２を配置して、上電極４２に対応して、下電極４３を配置し、上下電極４２、４３に通電して、連結棒材３４、上ベースプレート１２、トラス１０の脚部９を一体に溶接固着する（図１（ｂ））。
【００１８】
(4) 上ベースプレート１２の下面１６に、下ベースプレート２３の上面２６を重ねると共に、両ベースプレート１２、２３の両下向き係止縁２０、２９、上向き係止縁１９、２８を夫々嵌合する。以上のようにして、上下ベースプレート１２、２３が一体のベースプレート３２を形成し、この発明のトラス付きデッキプレート４０を構成する（図１（ｃ）、図２、図３）。
【実施例１】
【００１９】
図面に基づいて、この発明の実施例を説明する。
【００２０】
［１］トラス１０の構成
【００２１】
この実施例に使用するトラス１０について説明する。トラス１０は１本の上部鉄筋１と２本の下部鉄筋３、３とを並列して正面視で二等辺三角形状に配置する。上部鉄筋１の外側２と両下部鉄筋３、３の内側４とに、長さ方向に配列した波状補強鉄筋６、６を固着する。この際、上部鉄筋１と波状補強鉄筋６の上端部７とを固着し、下部鉄筋３の内面４と波状補強鉄筋６の下部８を固着する。この波状補強鉄筋６、６は、各下端部を外方に向けて水平方向に屈曲して脚部９、９を形成してある（図１（ａ））。
【００２２】
このように、上部鉄筋１、下部鉄筋２、２、波状補強鉄筋６、６とから横設三角柱状の立体形状のトラス１０を構成する（図１（ａ）、図３）。この状態で、波状補強鉄筋６、６は正面視で「略ハ字状」に並列配置され、下部鉄筋３、３は波状補強鉄筋６、６の外側に配置され、上部鉄筋１は波状補強鉄筋６、６の内側に配置され、全体が、正面視で二等辺三角形状に形成されている。また、トラス１０を水平面上に載置した際に、波状補強鉄筋６、６の脚部９、９が該水平面に当接する。
【００２３】
尚、波状補強鉄筋６は、上部鉄筋１と下部鉄筋３の外側５とに配置して固着することもできる（図示していない。参照図１（ａ））。
【００２４】
［２］上ベースプレート１２の構成
【００２５】
上ベースプレート１２は、配置するトラス１０の長さ方向（ベースプレートの長さ方向）に、トラス１０、１０の脚部９、９の位置に合わせて、上に凸の小屈曲部を形成し、小屈曲部は上面１５側から見れば凸条１７を形成し、下面１６側から見れば溝部１８を構成する。溝部１８は２つ１組で、溝部１８の間隔Ｄは、使用するトラス１０の脚部９の位置及び間隔に合わせて形成されている。このような１対の溝部１８を２組形成する。
【００２６】
また、上ベースプレート１２の端縁１３、１３で、溝部１７の長さ方向（トラス１０の配置方向）に、一側に上向き係止縁１９、他側に下向き係止縁２０を形成する。
【００２７】
また、上ベースプレート１２の端縁１４、１４（前記端縁１３と直交する端縁）の周辺で、かつ１対の溝部１７、１７同士の間で、下向き係止縁２０側に、２つに止め孔２１、２１を穿設する。止め孔２１は、縁１４の方向に並列され、対向する側の縁１４にも同様に形成されている。
【００２８】
以上のような構造の上ベースプレート１２を、鋼板をプレス加工して形成する。
【００２９】
［３］下ベースプレート２３の構成
【００３０】
下ベースプレート２３は、上ベースプレート１２の下面１６に重ねて、互いに係止してできる構造であり、上ベースプレート１２から溝部１８、１８を省略した構造である。即ち、トラス１０の長さ方向の一方の縁２４に、上向き係止縁１９の外側から係止できる上向き係止縁２８を形成し、他方の縁２４に下向き係止縁２０の内側に係止できる下向き係止縁２９を形成する。
【００３１】
また、縁２４、２４に直交する縁２５、２５（トラス１０の方向に直交する縁）付近に、止め孔２１、２１に連通する止め孔３０、３０を穿設する。
【００３２】
以上のような構造の上ベースプレート１２を、鋼板をロールホーミング加工して形成する。
【００３３】
［４］トラス付きデッキプレート４０の製造
【００３４】
(1) 上ベースプレート１２の上面１５側に、トラス１０、１０を配置し、トラス１０の脚部９、９を凸条１７（溝部１８）上に載置する（図１（ａ））。これと前後して、溝部１８に連結棒材３４を収容する。連結棒材３４は、溝部１８の全長に亘り位置し、かつ両端（縁１４、２５）から所定長さＬ（１０ｍｍ程度）だけ突出して、端部３５を形成している。また、連結棒材３４は、溝部１８に嵌挿された状態で、かつ上ベースプレート１２の下面１６より上方に納まっている（図１（ｂ））。
【００３５】
(2) 上記(1)の状態を保持して、上ベースプレート１２の下面側から、連結棒材３７の位置に下電極４３を配置し、下電極４３の上方で、脚部９の上方に上電極４２を配置する。上下電極４２、４３に通電して、連結棒材３４、上ベースプレート１２、トラス１０の脚部９を一体に溶接固着する（図１（ｂ））。
【００３６】
もう一方のトラス１０も同時に、またはその後に、同様に、上ベースプレート１２、連結棒材３４とを溶接固着する。尚、この際、上ベースプレート１２の下面には溶接跡（縞）が残る。
【００３７】
(3) 溶接固着が完了したならば、上ベースプレート１２の下面１６側から下ベースプレート２３を近付け（図１（ｂ））、上ベースプレート１２の下面１６と下ベースプレート２３の上面２６とを密着させて、両下向き係止縁２０、２９、上向き係止縁１９、２８を夫々嵌合する。以上のようにして、上下ベースプレート１２、２３が一体に重なりベースプレート３２を形成し、この発明のトラス付きデッキプレート４０を構成する（図１（ｃ）、図２、図３）。この状態で、上下ベースプレート１２、２３の止め孔２１、３０は互いに連通する。
【００３８】
また、前記において、上下ベースプレート１２、２３の厚さは例えば０．３ｍｍ程度、連結棒材３４の直径は、例えば、２．６ｍｍ〜４ｍｍ程度で形成する。
【００３９】
(4) 完成したトラス付きデッキプレート４０は、連結棒材３４が上下ベースプレートの縁１４、２５よりも長さＬ（１０ｍｍ程度）だけ突出した状態となっている（図４（ａ））。
【００４０】
(5) このように構成したトラス付きデッキプレート４０は、従来のデッキプレートと同様に使用する。即ち、鉄骨構造物に使用する場合には、連結棒材３４、３４をそのまま（図４（ａ））、又は端部３５、３５多少下方に傾斜させた状態で、下ベースプレート２３の下面２７の縁２５側を鉄骨梁４５、４５の上面に載置する（図４（ａ））。同時に、縁１３、２４側では、隣接する上向き係止縁１９、２８と下向き係止縁２０、２９とを係止しながら（図３）、必要枚数のトラス付きデッキプレート４０、４０を連設する。
【００４１】
(6) また、鉄筋コンクリート構造物に使用する場合には、連結棒材３４の端部３５の先端側を下方に向けて屈曲して係止部３６を形成する（図４（ｂ））。この状態で、下ベースプレート２３の縁２５、２５を梁用の型枠４７、４７の上面に載置して、連結棒材３４の係止部３６、３６を型枠４７の内面４８、４８に係止する（図４（ａ））。同時に、縁１３、２４側では、隣接する上向き係止縁１９、２８と下向き係止縁２０、２９とを係止しながら（図３）、必要枚数のトラス付きデッキプレート４０、４０を連設する。
【００４２】
また、止め孔２１、３０から釘を打ち込み、型枠４７とトラス付きデッキプレート４０を固定して、トラス付きデッキプレート４０の浮き上がり及びずれを防止することもできる。
【００４３】
［５］他の実施例
【００４４】
(1) 前記実施例において、トラス１０は、三角柱状の立体トラスを使用したが、他の形状の立体トラス、あるいは平面的なトラスを使用することもできる（図示していない）。この場合、トラス１０の下端部が、上ベースプレート１２の凸条１７と当接して溶接できるような形状となっている必要がある。
【００４５】
(2) また、前記実施例において、連結棒材３４は、溝部１８の全長に亘って配置したが、少なくとも溝部１８の両端部に配置してあれば良い（図示していない）。また、連結棒材
３４は、上ベースプレート１２の下面側に配置したが、上ベースプレート１２の上面側に配置することもでき（図示していない）、この場合は、トラスの脚部９、連結棒材３４、上ベースプレート１２の順に重なる。
【００４６】
(3) また、前記実施例において、鉄筋コンクリート構造物用の連結棒材３４は、トラス付きデッキプレート４０を形成後に下方に向けて屈曲して係止部３６形成したが、予め両端部を下方に向けて屈曲して係止部３６を形成した連結棒材３４を溝部１８に収容して、溶接することもできる（図示していない）。
【００４７】
(4) また、前記実施例において、上下ベースプレート１２、２３は、上向き係止縁１９、２８、下向き係止縁２０、２９同士を互いに嵌合係止して一体としたが、更に、少なくとも１つの連通した止め孔２１、３０にリベットを打って固定することもできる（図示していない）。
【００４８】
(5) また、前記実施例において、ベースプレート３２上に、トラス１０を２つ固着してトラス付きデッキプレート４０を構成したが、１つあるいは３つ以上のトラスからトラス付きデッキプレートを構成することもできる（図示していない）。
【００４９】
(6) また、前記実施例において、下ベースプレート２３の下面２７に予め天井仕上げ用の塗装、各種シート、各種ボード類を固着しておくこともできる（図示していない）。また、下ベースプレート２３は鋼板から形成したが他の材料、アルミニウム、各種樹脂、各種木材等から構成することもできる（図示していない）。
【００５０】
(7) 前記実施例において、トラス１０を固着する凸条１７と、連結棒材３４を収容する溝部１８とを同じ屈曲部に形成したが、別々に形成することもできる（図示していない）。
【図面の簡単な説明】
【００５１】
【図１】（ａ）〜（ｃ）は、この発明のトラス付きデッキプレートを製造する工程を表す一部側面図である。
【図２】この発明のトラス付きデッキプレートの実施例で、（ａ）は中間省略した正面図、（ｂ）は中間省略した平面図である。
【図３】同じく右側面図である。
【図４】連結棒材を説明する一部拡大側面図であり、（ａ）は鉄骨系構造用、（ｂ）は鉄筋コンクリート系構造物用を表す。
【符号の説明】
【００５２】
１    上部鉄筋
３    下部鉄筋
６    波状補強鉄筋
９    波状補強鉄筋の脚部
１０  トラス
１２  上ベースプレート
１５  上ベースプレートの上面
１６  上ベースプレートの下面
１７  凸条（上ベースプレート）
１８  溝部（上ベースプレート）
１９  上向き係止縁（上ベースプレート）
２０  下向き係止縁（上ベースプレート）
２１  止め孔（上ベースプレート）
２３  下ベースプレート
２６  下ベースプレートの上面
２７  下ベースプレートの下面
２８  上向き係止縁（下ベースプレート）
２９  下向き係止縁（下ベースプレート）
３０  止め孔（下ベースプレート）
３２  ベースプレート
３４  連結棒材
３５  連結棒材の端部
３６  連結棒材の係止部
４０  トラス付きデッキプレート
４２  上電極
４３  下電極
４５  鉄骨梁
４７  型枠
【図１】
2005194725.tif 000003
【図２】
2005194725.tif 000004
【図３】
2005194725.tif 000005
【図４】
2005194725.tif 000006